(57)【要約】【課題】ユーザの負担をより軽減するとともにセキュリティを向上させながら無線アクセスポイントの設定を行うことができる、アクセスポイント及びアクセスポイントの制御方法を提供する。【解決手段】無線子機との間で無線通信を行うアクセスポイント１０であって、ユーザＵの指紋を読み取りユーザＵの指紋データを取得する指紋読取部１２と、ユーザＵの指紋データとアクセスポイント１０を設定するための設定機能のうち特定の設定機能に関する情報である機能情報とを予め対応付けて格納する指紋記憶部１３と、指紋読取部１２によって取得された指紋データが指紋記憶部１３に格納されているか否かを判断する指紋照合部１４と、指紋照合部１４が指紋読取部１２によって取得された指紋データが指紋記憶部１３に格納されていると判断した場合に、指紋記憶部１３を参照して、当該指紋データに対応する機能情報を識別する機能識別部１５と、を備える。【選択図】図１
2019047142.tif 000002
【特許請求の範囲】
【請求項１】
無線子機との間で無線通信を行うアクセスポイントであって、
ユーザの指紋を読み取り前記ユーザの指紋データを取得する指紋読取部と、
前記ユーザの指紋データと前記アクセスポイントを設定するための設定機能のうち特定の設定機能に関する情報である機能情報とを予め対応付けて格納する指紋記憶部と、
前記指紋読取部によって取得された前記指紋データが前記指紋記憶部に格納されているか否かを判断する指紋照合部と、
前記指紋照合部が前記指紋読取部によって取得された前記指紋データが前記指紋記憶部に格納されていると判断した場合に、前記指紋記憶部を参照して、当該指紋データに対応する前記機能情報を識別する機能識別部と、
を備える、アクセスポイント。
【請求項２】
前記アクセスポイントは、ＩＥＥＥ（Institute of Electrical and Electronics Engineers）によって規格化された何れかの無線ＬＡＮ規格の無線通信を行う無線通信部を備える、請求項１に記載のアクセスポイント。
【請求項３】
前記指紋読取部は、前記ユーザの指紋を読み取る指紋センサーを備える、請求項２に記載のアクセスポイント。
【請求項４】
前記指紋照合部が前記指紋読取部によって取得された前記指紋データが前記指紋記憶部に格納されていると判断し、前記機能識別部が前記指紋記憶部を参照して、当該指紋データに対応する前記機能情報を識別した場合、当該機能情報に対応する設定機能を実行する、請求項２又は３に記載のアクセスポイント。
【請求項５】
前記指紋照合部が前記指紋読取部によって取得された前記指紋データが前記指紋記憶部に格納されていないと判断した場合に、前記指紋照合部が前記指紋読取部によって取得された前記指紋データが前記指紋記憶部に格納されていないと判断した回数をカウントする認証監視部を更に備える、請求項２乃至４の何れか一項に記載のアクセスポイント。
【請求項６】
前記認証監視部によってカウントされた回数が所定の回数以上となった場合に、前記無線通信部は動作を停止する、請求項５に記載のアクセスポイント。
【請求項７】
無線子機との間で無線通信を行うアクセスポイントの制御方法であって、
ユーザの指紋を読み取り前記ユーザの指紋データを取得する指紋読取ステップと、
前記ユーザの指紋データと前記アクセスポイントを設定するための設定機能のうち特定の設定機能に関する情報である機能情報とを予め対応付けて格納する指紋記憶部に、前記指紋読取ステップにおいて取得された前記指紋データが格納されているか否かを判断する指紋照合ステップと、
前記指紋照合ステップにおいて、前記指紋データが前記指紋記憶部に格納されていると判断した場合に、前記指紋記憶部を参照して、当該指紋データに対応する前記機能情報を識別する機能識別ステップと、
を備える、アクセスポイントの制御方法。
【請求項８】
前記指紋照合ステップにおいて、前記指紋読取ステップにおいて取得した前記指紋データが前記指紋記憶部に格納されていると判断し、前記機能識別ステップにおいて、前記指紋記憶部を参照して当該指紋データに対応する前記機能情報を識別した場合、当該機能情報に対応する設定機能を実行する、請求項７に記載のアクセスポイントの制御方法。
【請求項９】
前記指紋照合ステップにおいて、前記指紋読取ステップにおいて取得した前記指紋データが前記指紋記憶部に格納されていないと判断した場合に、前記指紋照合ステップにおいて、前記指紋読取ステップにおいて取得された前記指紋データが前記指紋記憶部に格納されていないと判断した回数をカウントする認証監視ステップを更に備える、請求項７又は８に記載のアクセスポイントの制御方法。
【請求項１０】
前記認証監視ステップにおいてカウントされた回数が所定の回数以上となった場合に、ＩＥＥＥ（Institute of Electrical and Electronics Engineers）によって規格化された何れかの無線ＬＡＮ規格の無線通信を行う無線通信部は動作を停止する、請求項９に記載のアクセスポイントの制御方法。
【発明の詳細な説明】
【技術分野】
【０００１】
本発明は、アクセスポイント及びアクセスポイントの制御方法に関する。
【背景技術】
【０００２】
近年、携帯電話やゲーム機等、無線子機としての機能を有する無線機器を、ＩＥＥＥ（Institute of Electrical and Electronics Engineers：米国電気電子学会）８０２．１１規格である無線ＬＡＮ（Local Area Network）により、無線アクセスポイントと接続する技術が広く用いられている。無線ＬＡＮ通信は、無線アクセスポイントと無線子機とが特定の周波数帯の電波を利用することで行われる。そして、当該電波が届く範囲に無線子機があればどこでも、無線子機はネットワークに接続できるという利点を有する。
【０００３】
無線アクセスポイントの設定は、主に無線アクセスポイントとＰＣとを有線ＬＡＮ接続し、又は、無線アクセスポイントと無線子機とを無線ＬＡＮ接続し、ブラウザ画面で指定のＵＲＬを入力してＷｅｂ−ＧＵＩ（Web-Graphical User Interface）にアクセスすることにより行われる。しかし、Ｗｅｂ−ＧＵＩを利用するためには、有線ＬＡＮ接続もしくは無線ＬＡＮ接続した端末からブラウザ上で指定のＵＲＬを入力する必要があり、手間がかかる。
【０００４】
一方、近年ではタッチパネルディスプレイを搭載した無線アクセスポイントが増えてきている。この場合、Ｗｅｂ−ＧＵＩにアクセスする必要がなく、タッチパネルディスプレイ上で設定変更したい機能や起動したい機能のアイコンをタッチするだけで、無線アクセスポイントの設定ができる。そのため、ユーザはより簡単かつ直観的に無線アクセスポイントの設定を行うことができる。しかし、無線アクセスポイントの多機能化が進んでいるため、ディスプレイ上に表示されるアイコンが非常に多くなることにより、ディスプレイにおける表示が複雑化し、タッチパネルディスプレイを搭載する利点が薄れつつある。
【０００５】
無線アクセスポイントの設定を行う際に、ユーザが頻繁に使用する設定機能は、ＷＰＳ等、特定の設定機能に限られている場合が多い。しかし、上述のＷｅｂ−ＧＵＩを用いて無線アクセスポイントを設定する場合、タッチパネルディスプレイを用いて無線アクセスポイントを設定する場合の何れの場合においても、毎回、多数ある設定機能の中から所望する設定機能を選択する等の操作を行うことは、煩雑であり、ユーザに負担をかけている。
【０００６】
特許文献１には、電子会議システムのネットワークを介して他の会議端末と接続される会議端末において、ユーザの複数の生体情報と、会議端末の複数の操作状態と、及び、会議端末の複数の操作内容とをそれぞれ関連づけて記憶手段に登録し、操作状態取得手段により当該会議端末の操作状態を取得し、生体情報取得手段によって取得したユーザの生体情報が記憶手段に登録されているか否かを判断し、登録されている場合には、当該取得した生体情報及び操作状態に対応する操作内容を実行することが記載されている。
【０００７】
また、特許文献２には、無線子機がユーザの指紋データを取得して、当該指紋データをアクセスポイントに送信し、アクセスポイントが、当該指紋データが当該アクセスポイントに登録されている指紋データと一致するか否かを判断し、一致する場合には、無線子機のアクセスポイントへのアクセスを許可することが記載されている。
【先行技術文献】
【特許文献】
【０００８】
【特許文献１】特開２００７−０３４９７８号公報
【特許文献２】特開２００６−１２７５０２号公報
【発明の概要】
【発明が解決しようとする課題】
【０００９】
特許文献１では、生体情報取得手段によってユーザの生体情報が取得されさえすれば、会議端末は、当該生体情報と関連付けられた操作状態に対応する操作内容を実行するため、ユーザの操作が一見簡潔化されているように見える。しかし、特許文献１に記載されているように、会議端末は、操作状態（操作パターン）毎の操作内容を決めることができるため、会議端末に登録される操作内容の合計数は増えることになる。そのため、ユーザが記憶しておくべき操作内容の数が増えることになり、会議端末の利便性が損なわれ、煩雑さが増してしまう。
【００１０】
また、特許文献２では、無線子機がアクセスポイントにアクセスした後において、多数ある設定機能の中から所望する設定機能を選択する等の操作を行う必要がある。
【００１１】
また、特許文献２では、無線子機においてユーザの指紋データを取得し、無線子機が当該指紋データをアクセスポイントに送信し、アクセスポイントにおいて当該指紋データを登録する。そのため、アクセスポイントにユーザの指紋データを登録する際に無線子機において当該指紋データを記憶してしまうと、ユーザが無線子機を用いてＷｅｂ−ＧＵＩにアクセスする毎に無線子機において指紋データを取得せずに記憶しておいた指紋データをアクセスポイントに送信してしまう可能性がある。この場合、正当な使用者であるユーザ以外の者が無線子機に記憶された指紋データをアクセスポイントに送信してアクセスポイントの設定を行う可能性があり、セキュリティが十分でない可能性がある。
【００１２】
本発明の目的は、ユーザの負担をより軽減するとともにセキュリティを向上させながら無線アクセスポイントの設定を行うことができる、アクセスポイント及びアクセスポイントの制御方法を提供することである。
【課題を解決するための手段】
【００１３】
本発明の第１の態様に係るアクセスポイントは、無線子機との間で無線通信を行うアクセスポイントであって、ユーザの指紋を読み取り前記ユーザの指紋データを取得する指紋読取部と、前記ユーザの指紋データと前記アクセスポイントを設定するための設定機能のうち特定の設定機能に関する情報である機能情報とを予め対応付けて格納する指紋記憶部と、前記指紋読取部によって取得された前記指紋データが前記指紋記憶部に格納されているか否かを判断する指紋照合部と、前記指紋照合部が前記指紋読取部によって取得された前記指紋データが前記指紋記憶部に格納されていると判断した場合に、前記指紋記憶部を参照して、当該指紋データに対応する前記機能情報を識別する機能識別部と、を備える。
【００１４】
本発明の第２の態様に係るアクセスポイントの制御方法は、無線子機との間で無線通信を行うアクセスポイントの制御方法であって、ユーザの指紋を読み取り前記ユーザの指紋データを取得する指紋読取ステップと、前記ユーザの指紋データと前記アクセスポイントを設定するための設定機能のうち特定の設定機能に関する情報である機能情報とを予め対応付けて格納する指紋記憶部に、前記指紋読取ステップにおいて取得された前記指紋データが格納されているか否かを判断する指紋照合ステップと、前記指紋照合ステップにおいて、前記指紋データが前記指紋記憶部に格納されていると判断した場合に、前記指紋記憶部を参照して、当該指紋データに対応する前記機能情報を識別する機能識別ステップと、を備える。
【発明の効果】
【００１５】
ユーザの負担をより軽減するとともにセキュリティを向上させながら無線アクセスポイントの設定を行うことができる、アクセスポイント及びアクセスポイントの制御方法を提供することができる。
【図面の簡単な説明】
【００１６】
【図１】実施の形態１に係るアクセスポイントを示すブロック図である。
【図２】実施の形態１に係る管理テーブルの一例を示す図である。
【図３】実施の形態１に係るユーザの指紋とアクセスポイントの特定の設定機能との関係を示す模式図である。
【図４】実施の形態１に係るアクセスポイントの制御方法を示すフローチャートである。
【図５】実施の形態２に係るアクセスポイントを示すブロック図である。
【図６】実施の形態２に係るアクセスポイントの制御方法を示すフローチャートである。
【発明を実施するための形態】
【００１７】
実施の形態１
以下、図面を参照して本発明の実施の形態について説明する。図１は、本発明の実施の形態１に係るアクセスポイント１０を示すブロック図である。図２は、実施の形態１に係る管理テーブル１３１の一例を示す図である。図３は、ユーザＵの指紋とアクセスポイント１０の特定の設定機能との関係を示す模式図である。図４は、実施の形態１に係るアクセスポイントの制御方法を示すフローチャートである。図１に示すように、アクセスポイント１０は、制御部１１、指紋読取部１２、指紋記憶部１３、指紋照合部１４、機能識別部１５、無線通信部１６等を備える。
【００１８】
制御部１１は、図示しないＣＰＵ及び図示しない記憶部等を備える。そして、ＣＰＵが記憶部に格納されたプログラムを実行することにより、制御部１１における全ての処理が実現する。
また、制御部１１のそれぞれの記憶部に格納されるプログラムは、ＣＰＵに実行されることにより、制御部１１のそれぞれにおける処理を実現するためのコードを含む。なお、記憶部は、例えば、このプログラムや、制御部１１における処理に利用される各種情報を格納することができる任意の記憶装置を含んで構成される。記憶装置は、例えば、メモリ等である。
【００１９】
具体的には、制御部１１は、指紋読取部１２、指紋記憶部１３、指紋照合部１４、機能識別部１５、無線通信部１６等、アクセスポイント１０の各部の動作を制御する。
また、制御部１１は、指紋照合部１４が指紋読取部１２によって取得された指紋データが指紋記憶部１３に格納されていると判断し、機能識別部１５が指紋記憶部１３を参照して、当該指紋データに対応する機能情報を識別した場合、当該機能情報に対応する設定機能を実行する。
なお、制御部１１における上述の処理は、ＣＰＵが記憶部に格納されたプログラムを実行することによって、実現する。
【００２０】
指紋読取部１２は、ユーザＵの指紋を読み取り当該ユーザＵの指紋データを取得する。具体的には、指紋読取部１２は、ユーザＵの指紋を読み取る指紋センサーを備える。
【００２１】
指紋記憶部１３は、ユーザＵの指紋データとアクセスポイント１０を設定するための設定機能のうち特定の設定機能に関する情報である機能情報とを予め対応付けて格納する。より具体的には、指紋記憶部１３は、ユーザＵの指紋データと、図２に示す管理テーブル１３１に定められた機能情報と、を対応付けて予め格納している。例えば、図２に示す当該管理テーブル１３１は、アクセスポイント１０を設定するための特定の設定機能である「機能１」、「機能２」、「機能３」、「機能４」、「機能５」として、それぞれ、「ＷＰＳ（Wi-Fi Protected Setup）起動」、「２．４ＧＨｚと５ＧＨｚとの切替」、「セカンダリＳＳＩＤ有効／無効」、「無線機能停止」、「再起動」を定めている。そして、指紋記憶部１３は、例えば、図３に示すように、ユーザＵの親指の指紋データ、人差し指の指紋データ、中指の指紋データ、薬指の指紋データ、小指の指紋データと、アクセスポイント１０を設定するための特定の設定機能である「機能１」、「機能２」、「機能３」、「機能４」、「機能５」と、をそれぞれ対応付けて、予め格納している。なお、管理テーブル１３１は、指紋記憶部１３に格納されていてもよいし、制御部１１の記憶部等、アクセスポイント１０の他のメモリに格納されていてもよい。また、図２に示す管理テーブル１３１は一例であり、指紋データと対応付けられるアクセスポイント１０の特定の設定機能はユーザＵが任意に選択することができる。例えば、人差し指の指紋データと対応付けられる特定の「機能２」は、「省エネモード有効化／無効化」であってもよい。
【００２２】
指紋照合部１４は、指紋読取部１２によって取得されたユーザＵの指紋データが指紋記憶部１３に格納されているか否かを判断する。
【００２３】
機能識別部１５は、指紋照合部１４が指紋読取部１２によって取得されたユーザＵの指紋データが指紋記憶部１３に格納されていると判断した場合に、指紋記憶部１３を参照して、当該指紋データに対応する機能情報を識別する。また、機能識別部１５は、識別した機能情報を制御部１１に入力する。そして、制御部１１は、機能識別部１５が識別した当該機能情報に対応する設定機能を実行する。
【００２４】
無線通信部１６は、アクセスポイント１０と無線子機との間で無線通信を行う。具体的には、無線通信部１６は、ＩＥＥＥ（Institute of Electrical and Electronics Engineers）によって規格化された何れかの無線ＬＡＮ規格の無線通信を行う。例えば、無線通信部１６は、ＩＥＥＥ８０２．１１規格における２．４ＧＨｚ帯及び５ＧＨｚ帯、１１ａｄ通信で用いられる６０ＧＨｚ帯、ＩＥＥＥ８０２．１５．１規格であるＢｌｕｅｔｏｏｔｈ（登録商標）の何れか又は複数の無線通信を行ってもよい。
【００２５】
次に、図４を参照しながら、本実施の形態１に係るアクセスポイント１０の制御方法について説明する。
まず、アクセスポイント１０の指紋読取部１２が、ユーザＵの指紋を読み取り当該ユーザＵの指紋データを取得する（ステップＳ１０１）。
【００２６】
次に、指紋照合部１４が、ステップＳ１０１において取得されたユーザＵの指紋データが指紋記憶部１３に格納されているか否かを判断する（ステップＳ１０２）。
ステップＳ１０２において、指紋照合部１４が、ステップＳ１０１において取得されたユーザＵの指紋データが指紋記憶部１３に格納されていないと判断した場合（ステップＳ１０２；Ｎｏ）、本処理を終了する。
ステップＳ１０２において、指紋照合部１４が、ステップＳ１０１において取得されたユーザＵの指紋データが指紋記憶部１３に格納されていると判断した場合（ステップＳ１０２；Ｙｅｓ）、機能識別部１５が、指紋記憶部１３を参照して、当該指紋データに対応する機能情報を識別する（ステップＳ１０３）。
【００２７】
次に、制御部１１が、ステップＳ１０３において識別された機能情報に対応する設定機能を実行する（ステップＳ１０４）。例えば、アクセスポイント１０において、ユーザＵが親指を用いて指紋認証を行った場合、制御部１１は、自動的にＷＰＳを起動する。
【００２８】
以上に説明した実施の形態１に係るアクセスポイント１０及びアクセスポイント１０の制御方法では、指紋読取部１２によって、ユーザＵの指紋データが取得され、指紋記憶部１３によって、ユーザＵの指紋データとアクセスポイント１０を設定するための設定機能のうち特定の設定機能に関する情報である機能情報とが予め対応付けられて格納され、指紋照合部１４によって、指紋読取部１２によって取得されたユーザＵの指紋データが指紋記憶部１３に格納されているか否かが判断され、指紋照合部１４が指紋読取部１２によって取得された指紋データが指紋記憶部１３に格納されていると判断した場合に、機能識別部１５によって、指紋記憶部１３が参照されて、当該指紋データに対応する機能情報が識別される。そのため、ユーザＵがアクセスポイント１０の指紋読取部１２の指紋センサーに指の指紋を読み取らせるだけで、当該指紋データに対応するアクセスポイント１０の特定の設定機能が識別され実行可能となる。そのため、ユーザＵは、多数ある設定機能の中から所望する設定機能を選択するという行為を行わなくても、アクセスポイント１０の所望する機能について設定を行うことができ、ユーザＵの負担を軽減することができる。
さらに、指紋記憶部１３に格納される設定機能は、多数ある設定機能のうち特定の設定機能に限定されるため、ユーザＵは、当該特定の設定機能と指紋データとの関係のみを覚えていればよいため、多数の設定機能を覚えている必要なく、ユーザＵの負担を軽減することができる。
【００２９】
また、無線子機においてユーザの指紋データを取得し、無線子機が当該指紋データをアクセスポイントに送信し、アクセスポイントにおいて当該指紋データを登録する場合、アクセスポイントにユーザの指紋データを登録する際に無線子機において当該指紋データを記憶してしまうと、ユーザが無線子機を用いてＷｅｂ−ＧＵＩにアクセスする毎に無線子機において指紋データを取得せずに記憶しておいた指紋データをアクセスポイントに送信してしまう可能性がある。この場合、正当な使用者であるユーザ以外の者が無線子機に記憶された指紋データをアクセスポイントに送信してアクセスポイントの設定を行う可能性がある。これに対し、実施の形態１に係るアクセスポイント１０及びアクセスポイント１０の制御方法では、アクセスポイント１０においてユーザＵの指紋データの取得を行う。そのため、ユーザＵがアクセスポイント１０の設定を行う度にユーザＵの指紋データの取得が行われるため、アクセスポイント１０のセキュリティを向上することができる。
【００３０】
したがって、ユーザＵの負担をより軽減するとともにセキュリティを向上させながら無線アクセスポイントの設定を行うことができる、アクセスポイント１０及びアクセスポイント１０の制御方法を提供することができる。
【００３１】
実施の形態２
次に、図５及び図６を参照しながら、本発明の実施の形態２について説明する。図５は、実施の形態２に係るアクセスポイント２０を示すブロック図である。図６は、実施の形態２に係るアクセスポイント２０の制御方法を示すフローチャートである。実施の形態２に係るアクセスポイント２０は、図５に示すように、認証監視部２１を更に備える点が、実施の形態１に係るアクセスポイント１０と異なる。よって、同一の構成については同一の符号を付すとともに、その説明を省略する。
【００３２】
認証監視部２１は、指紋照合部１４が指紋読取部１２によって取得された指紋データが指紋記憶部１３に格納されていないと判断した場合に、指紋照合部１４が指紋読取部１２によって取得された指紋データが指紋記憶部１３に格納されていないと判断した回数（認証失敗回数）をカウントし、カウントした当該回数を制御部１１に出力する。
【００３３】
制御部１１は、認証監視部２１によってカウントされた回数が所定の回数以上となった場合に、動作を停止するように無線通信部１６を制御する。
【００３４】
次に、図６を参照しながら、本実施の形態２に係るアクセスポイント２０の制御方法について説明する。図６に示すように、実施の形態２に係るアクセスポイント２０の制御方法のステップＳ２０１〜ステップＳ２０４の処理は、実施の形態１に係るアクセスポイント１０の制御方法のステップＳ１０１〜ステップＳ１０４の処理と同様であるため、その説明を省略する。
【００３５】
ステップＳ２０２において、指紋照合部１４が、ステップＳ２０１において取得されたユーザＵの指紋データが指紋記憶部１３に格納されていないと判断した場合（ステップＳ２０２；Ｎｏ）、認証監視部２１は、指紋照合部１４が指紋読取部１２によって取得された指紋データが指紋記憶部１３に格納されていないと判断した回数（認証失敗回数）をカウントする（ステップ２０３）。
【００３６】
次に、制御部１１は、認証監視部２１によってカウントされた回数が所定の回数（閾値）以上となったか否かを判断する（ステップＳ２０６）。
ステップＳ２０６において、認証監視部２１によってカウントされた回数が所定の回数（閾値）未満である場合（ステップＳ２０６；Ｎｏ）、ステップＳ２０１に戻る。
ステップＳ２０６において、認証監視部２１によってカウントされた回数が所定の回数（閾値）以上である場合（ステップＳ２０６；Ｙｅｓ）、制御部１１は、アクセスポイント２０に登録されたユーザＵ（所有者）以外の者が不正使用を試みていると判断し（ステップＳ２０７）、動作を停止するように無線通信部１６を制御する（ステップＳ２０８）。
【００３７】
以上に説明した本実施の形態２に係るアクセスポイント２０及びアクセスポイント２０の制御方法では、実施の形態１と同様の効果が得られる。また、認証監視部２１によって、指紋照合部１４が指紋読取部１２によって取得された指紋データが指紋記憶部１３に格納されていないと判断した回数をカウントし、認証監視部２１によってカウントされた回数が所定の回数以上となった場合に、無線通信部１６の動作が停止されるため、ユーザＵがアクセスポイント２０を紛失したり、アクセスポイント２０が盗難されたりしても、アクセスポイント２０の不正使用を防ぐことができ、アクセスポイント２０のセキュリティを更に向上することができる。
【００３８】
なお、本発明は上記実施の形態に限られたものではなく、趣旨を逸脱しない範囲で適宜変更することが可能である。例えば、実施の形態２において、認証監視部２１は、所定期間内における認証失敗回数をカウントしてもよい。これにより、アクセスポイント２０の正当な使用者であるユーザＵの指紋認証が失敗する場合があっても、所定期間が過ぎた後では、認証失敗回数はゼロとなるため、正当な使用者でない者によるアクセスポイント２０の不正使用を防ぐことができるとともに、正当な使用者であるユーザＵの使用を妨げることを防ぐことができる。
【符号の説明】
【００３９】
１０、２０  アクセスポイント
１１  制御部
１２  指紋読取部
１３  指紋記憶部
１３１  管理テーブル
１４  指紋照合部
１５  機能識別部
１６  無線通信部
２１  認証監視部
Ｕ  ユーザ
【図１】
2019047142.tif 000003
【図２】
2019047142.tif 000004
【図３】
2019047142.tif 000005
【図４】
2019047142.tif 000006
【図５】
2019047142.tif 000007
【図６】
2019047142.tif 000008